(57)【要約】  従来技術では、ある題目に対する情報が分散するため、情報が効率的に共有できないという問題点があった。  指定区間テキストに対して言語解析を行い言語解析情報を出力する指定区間言語解析手段と、前記言語解析情報から前記指定区間テキストの題目である題目情報を生成する指定区間題目生成手段と、掲示板情報記憶部を参照し、前記題目情報に対応する掲示板のアドレス情報が得られた場合は、該題目情報と該アドレス情報を対応掲示板情報として出力する掲示板管理手段とを備える。
2009025193.tif 000002
【特許請求の範囲】
【請求項１】
指定区間テキストに対して言語解析を行い言語解析情報を出力する指定区間言語解析手段と、
前記言語解析情報から前記指定区間テキストの題目である題目情報を生成する指定区間題目生成手段と、
掲示板情報記憶部を参照し、前記題目情報に対応する掲示板のアドレス情報が得られた場合は、該アドレス情報、ないしは該題目情報と該アドレス情報との組を対応掲示板情報として出力する掲示板管理手段と
を備えたことを特徴とする情報共有システム。
【請求項２】
前記掲示板管理手段が、前記題目情報に対応する掲示板のアドレス情報が得られない場合は、新規に前記題目情報に対応する掲示板を作成し、作成した掲示板のアドレス情報、ないしは該題目情報と作成した掲示板のアドレス情報との組を出力すること
を特徴とする請求項１記載の情報共有システム。
【請求項３】
前記指定区間題目生成手段は、題目生成ポリシー記憶部を参照して前記題目情報を生成すること
を特徴とする請求項１又は２記載の情報共有システム。
【請求項４】
ユーザ指定区間入力手段を備え、
前記ユーザ指定区間入力手段は、ユーザが指定した区間情報に対応したテキストを、前記指定区間言語解析手段に対して前記指定区間テキストとして出力すること
を特徴とする請求項１乃至３記載の情報共有システム。
【請求項５】
ドキュメント区間分割手段を備え、
前記ドキュメント区間分割手段は、入力されたテキストを分割して分割テキストを生成し、
前記分割テキストの少なくとも一つ以上を前記指定区間言語解析手段に対して前記指定区間テキストとして出力すること
を特徴とする請求項１乃至３記載の情報共有システム。
【請求項６】
言語解析に利用する辞書情報を記憶する言語解析用辞書記憶部と、
題目生成に利用する規則情報を記憶する題目生成ポリシー記憶部と、
掲示板の情報を記憶する掲示板情報記憶部と、
前記言語解析用辞書記憶部を参照し、指定区間テキストに対して言語解析を行い言語解析情報を出力する指定区間言語解析手段と、
前記題目生成ポリシー記憶部を参照し、前記言語解析情報から前記指定区間テキストの題目である題目情報を生成する指定区間題目生成手段と、
前記掲示板情報記憶部を参照し、前記題目情報に対応する掲示板のアドレス情報が得られた場合は、該アドレス情報、ないしは該題目情報と該アドレス情報との組を対応掲示板情報として出力する掲示板管理手段と、
前記対応掲示板情報を指定区間テキストに対応して表示するドキュメントブラウザ手段と、
を備えることを特徴とする情報共有システム
【請求項７】
指定区間テキストに対して言語解析を行い言語解析情報を出力する指定区間言語解析ステップと、
前記言語解析情報から前記指定区間テキストの題目である題目情報を生成する指定区間題目生成ステップと、
掲示板情報記憶部を参照し、前記題目情報に対応する掲示板のアドレス情報が得られた場合は、該アドレス情報、ないしは該題目情報と該アドレス情報との組を対応掲示板情報として出力する掲示板管理ステップと
を含むことを特徴とする情報共有方法。
【請求項８】
前記掲示板管理ステップが、前記題目情報に対応する掲示板のアドレス情報が得られない場合は、新規に前記題目情報に対応する掲示板を作成し、作成した掲示板のアドレス情報、ないしは該題目情報と作成した掲示板のアドレス情報との組を出力すること
を特徴とする請求項７記載の情報共有方法。
【請求項９】
前記指定区間題目生成ステップは、題目生成ポリシー記憶部を参照して前記題目情報を生成すること
を特徴とする請求項７又は８記載の情報共有方法。
【請求項１０】
ユーザ指定区間入力ステップを含み、
前記ユーザ指定区間入力ステップは、ユーザが指定した区間情報に対応したテキストを前記指定区間テキストとして出力し、前記指定区間言語解析ステップへの入力とすること
を特徴とする請求項７乃至９記載の情報共有方法。
【請求項１１】
ドキュメント区間分割ステップを含み、
前記ドキュメント区間分割ステップは、入力されたテキストを分割して分割テキストを生成し、
前記分割テキストの少なくとも一つ以上を前記指定区間テキストとして出力し、前記指定区間言語解析ステップへの入力とすること
を特徴とする請求項７乃至９記載の情報共有方法。
【請求項１２】
指定区間テキストに対して言語解析を行い言語解析情報を出力する指定区間言語解析ステップと、
前記言語解析情報から前記指定区間テキストの題目である題目情報を生成する指定区間題目生成ステップと、
掲示板情報記憶部を参照し、前記題目情報に対応する掲示板のアドレス情報が得られた場合は、該アドレス情報、ないしは該題目情報と該アドレス情報との組を対応掲示板情報として出力する掲示板管理ステップと
をコンピュータに実行させるための情報共有プログラム。
【請求項１３】
前記掲示板管理ステップが、前記題目情報に対応する掲示板のアドレス情報が得られない場合は、新規に前記題目情報に対応する掲示板を作成し、作成した掲示板のアドレス情報、ないしは該題目情報と作成した掲示板のアドレス情報との組を出力すること
を特徴とする請求項１２記載の情報共有プログラム。
【請求項１４】
前記指定区間題目生成ステップは、題目生成ポリシー記憶部を参照して前記題目情報を生成すること
を特徴とする請求項１２又は１３記載の情報共有プログラム。
【請求項１５】
ユーザ指定区間入力ステップを含み、
前記ユーザ指定区間入力ステップは、ユーザが指定した区間情報に対応したテキストを前記指定区間テキストとして出力し、前記指定区間言語解析ステップへの入力とすること
を特徴とする請求項１２乃至１４記載の情報共有プログラム。
【請求項１６】
ドキュメント区間分割ステップを含み、
前記ドキュメント区間分割ステップは、入力されたテキストを分割して分割テキストを生成し、
前記分割テキストの少なくとも一つ以上を前記指定区間テキストとして出力し、前記指定区間言語解析ステップへの入力とすること
を特徴とする請求項１２乃至１４記載の情報共有プログラム。
【発明の詳細な説明】
【技術分野】
【０００１】
本発明は、情報共有システム、情報共有方法、および情報共有プログラムに係り、特に同じ題目に対する情報を共有するための技術に関するものである。
【背景技術】
【０００２】
Ｗｅｂページに記載された情報など電子化された情報に対して、同じ題目に対する情報を共有する複数の技術が存在する。なお、ここでの「題目」とは、あるテキストの中心的な話題、テーマを指す。【０００３】
ある題目に対する情報を共有する技術の例として、ブログのコメント機能（従来技術１）や電子掲示板（従来技術２。以下「掲示板」と称する。）が挙げられる。【０００４】
従来技術１は、ブログの閲覧者が、元の記事を読んだ感想やコメント、追加情報などをコメントとして、元のブログのページに投稿することができる機能である。後でそのブログを読んだ別の閲覧者は、元の記事に加えて投稿されたコメントも読むことができ、同じブログページを読んだ他の閲覧者の感想や、追加情報などを元のブログページの情報に加えて得ることができる。また、閲覧者間でコメント欄を通じて、議論や意見交換も可能となる。【０００５】
従来技術２は、スレッド（題目ごとに設けられた掲示板機能を有するページ）に対して、ユーザが新たな情報を追加するものである。ユーザが任意にスレッドを新規作成することも可能である。この技術により、ユーザ間での意見交換の場を提供することができる。また、掲示板には一つのスレッドに対して多くの情報が追加されるため、題目に対する情報を効率的に参照できるという、参照的な機能としても有効である。
【発明の開示】
【発明が解決しようとする課題】
【０００６】
従来技術では、ある題目に対する情報が分散するため、情報が効率的に共有できないという問題点があった。【０００７】
従来技術１では、そのブログの閲覧者間での情報共有は可能である。しかし、ブログは基本的には情報発信者（ブログ作成者）に紐づいて情報発信を行うものである。Ｗｅｂ上などでは多数の情報発信者が独立に様々な題目に関して情報を発信しているため、こうした、同じあるいは類似の題目を取り扱う独立に作成されたページが多く存在している。そのどれか１つを閲覧した閲覧者が、閲覧したブログに有用なコメントを追加しても、他の同様の題目を取り扱うブログの閲覧者は、そのコメントの存在を気づくことはできない。【０００８】
一方、従来技術２は、情報発信者ではなくスレッドに紐づくものであり、題目に対する情報の追加や議論に適した情報共有ツールである。ある題目に対する情報を追加するときに、皆が特定の掲示板における特定のスレッドに追加すれば、情報が分散することはない。【０００９】
しかし、任意のタイトルでスレッドを作成できるため、スレッドと題目が一意になるとは限らない。よって、同じような題目に関して複数のスレッドが存在し、どのスレッドを参照すればよいのか曖昧になるという問題が存在する。【００１０】
また、皆が特定の掲示板に対して情報を追加するとは限らない。例えば、当然その掲示板の存在をしらない人は利用できない。さらに、ブログなどの閲覧者にとっては、ブログの閲覧中に従来技術１を用いて新たな情報をブログのページに追加できてしまうため、別途掲示板の中から自らの興味がある題目に関連するスレッドを検索して情報を追加する、という行動を取ることは考えにくい。【００１１】
本発明はこのような問題を解消するためになされたものであり、ある題目に対してより効率的に情報共有する、情報共有装置、情報共有システム、情報共有方法、および情報共有用プログラムを提供することを目的とする。
【課題を解決するための手段】
【００１２】
本発明における情報共有システムは、
指定区間テキストに対して言語解析を行い言語解析情報を出力する指定区間言語解析手段と、
前記言語解析情報から前記指定区間テキストの題目である題目情報を生成する指定区間題目生成手段と、
掲示板情報記憶部を参照し、前記題目情報に対応する掲示板のアドレス情報が得られた場合は、該題目情報と該アドレス情報を対応掲示板情報として出力する掲示板管理手段と
を備えたことを特徴とする。
【発明の効果】
【００１３】
本発明の効果は、同じ題目の情報をより効率的に共有できる点である。【００１４】
その理由は、指定区間言語解析手段において、指定されたテキスト区間の言語解析を行い、指定区間生成部において、言語解析結果に応じた題目情報を生成し、掲示板管理手段において、生成された題目情報の掲示板がすでに存在する場合はそのアドレスをユーザに通知するためである。【００１５】
よって、ブログなど掲示板以外のページを閲覧しているユーザが、閲覧している内容に関連する掲示板が存在することを知ることができるため、掲示板に対して新しい情報を追加するようにユーザを誘導することができる。また、情報を追加しないユーザにとっても、掲示板を参照することでより多くの情報を得ることができる。【００１６】
また、言語解析を行うことで多少表現が異なっても同じ題目情報として認識してスレッドと関連づけることができるため、題目とスレッドとを一意に定めることができ、さらに効率的に同じ題目に対する情報を共有できる。
【発明を実施するための最良の形態】
【００１７】
次に、発明を実施するための最良の形態について図面と例を参照して詳細に説明する。【００１８】
（第１の実施の形態）
図１を参照すると、本発明の第１の実施の形態は、処理装置１０と記憶装置２０から構成される。処理装置１０は、ドキュメントブラウザ手段１１と、閲覧中のドキュメントからコメントを登録したいテキスト区間を指定するユーザ指定区間入力手段１２と、ユーザが指定したテキスト区間の言語解析を行う指定区間言語解析手段１３と、指定したテキスト区間の言語解析結果を受け付けて、その区間の言語解析結果に応じた題目情報を生成する指定区間題目生成手段１４ａと、生成された題目情報の掲示板が掲示板情報記憶部２３中にすでに存在するかを判定し、対応掲示板情報として出力する掲示板管理手段１５ａと、前記対応掲示板情報をドキュメントブラウザ手段１１に表示させる対応掲示板情報出力手段１６からなる。また、記憶装置２０は、ドキュメント情報記憶部２１、言語解析用辞書記憶部２２、題目情報毎の掲示板の情報を格納する掲示板情報記憶部２３から構成される。言語解析用辞書記憶部２２は、言語解析に用いる単語辞書記憶部２２１と、言語解析時に同一視する単語や複数単語からなる表現を格納した同義表現辞書記憶部２２２を備える。掲示板情報記憶部２３は、各題目情報に対応する掲示板のアドレスなどの情報を記憶するアドレス情報記憶部２３１と、各題目情報に対応するコメント情報を記憶するコメント情報記憶部２３２を備える。アドレス情報記憶部２３１とコメント情報記憶部２３２に格納されている情報は、１つにまと
めて格納してもよい。【００１９】
なお、ここで「題目情報」とは、後述する掲示板情報記憶部２３に記憶されている掲示板の情報から、特定の１つの掲示板を指定する掲示板のＩＤのことをいうものとする。掲示板のＩＤであるから、題目情報が異なれば別の掲示板を示し、逆に掲示板が同一ならば、その題目情報は必ず同じものとなる。【００２０】
ドキュメントブラウザ手段１１は、ユーザがＷｅｂ文書やオフィス文書などのドキュメントを閲覧するためのブラウザである。ドキュメントを閲覧する機能さえ含まれていれば、編集機能を搭載したワープロなどのエディタであってもよいし、他のアプリケーションに組み込まれたドキュメントビューアーであってもよい。ユーザが閲覧するドキュメントも、テキストだけにとどまらず、動画や静止画など一般にＷＷＷ上で公開されているマルチメディアドキュメントであってもよい。ただし、後述する対応掲示板情報出力手段１６が出力する、閲覧しているドキュメント中のテキスト区間と、そのテキスト区間に対応する掲示板へのアドレスを受け取り、対応する掲示板にアクセスする機能は必ず備えている必要がある。受け取った掲示板へのアドレスは、ハイパーリンクとして、対応するテキスト区間に埋め込んで表示してもよい。また、ドキュメントの最後や、ページの区切りなどに、受け取った掲示板アドレスをまとめて表示してもよい。さらには、掲示板へのアドレスだけでなく、各掲示板に格納されているコメントの全部または一部を、閲覧するドキュメント自体とは区別できるようフォントやインデントなどの表示の仕方を変えて出力し、ユーザが掲示板自体にアクセスしなくとも、そのコメントの内容を見ることができるような機能を提供してもよい。【００２１】
ユーザ指定区間入力手段１２は、ドキュメントブラウザ手段１１でユーザが閲覧するドキュメントに含まれている任意のテキスト区間をユーザが指定するための入力インターフェースである。テキスト区間の指定方法としては、一般にインターネットブラウザやワープロ等で用いられているテキストの範囲指定法であれば任意のものであってよい。たとえば、マウスを用いてテキスト区間の先頭と終端を指定する、カーソルで範囲指定する、ユーザが指定したドキュメント中のあるポイントを含むテキスト区間で文や段落、章節などのテキスト構造で区切られる区間をとる、などでよい。ユーザ指定区間入力手段１２で指定された指定区間テキストは、後述する指定区間言語解析手段１３に出力される。【００２２】
指定区間言語解析手段１３は、後述する言語解析用辞書記憶部２２を参照して、入力された指定区間テキストの言語解析を行い、言語解析情報を出力するモジュールである。言語解析の結果、入力された指定区間テキストは、そのテキストの意味内容を示す言語表現形式に変換される。どのような言語表現形式を取るかは、指定区間テキストにどのような言語解析技術を用いるかによって変わる。よって、本発明を実施する際の用途や目的に応じた言語解析技術をこのモジュールに搭載する。可能な言語解析技術とその結果の言語表現形式の例としては、図２のような組合せが考えられる。この図２に挙げている例自体は、既存の自然言語処理技術である。また、言語解析技術の欄に、複数の技術が挙げられている行があるが、これら全てを用いる必要がある訳ではなく、この中のどれか１つ以上を適宜用いればよい。【００２３】
例えば、係り受け解析技術を用いる場合、「健康食品Ａの実績と販売経路」のようなテキスト区間を「健康食品Ａ −＞ 実績、健康食品Ａ−＞ 販売経路」のような言語表現形式にすることができる。【００２４】
また指定区間テキストから「いつ」「どこで」「誰が」「何を」「何のために」「どうする」といった５Ｗ１Ｈの要素を抽出し、そのテキストの意味内容を示す言語表現形式としても良い。固有表現の抽出技術などがこのために使用できる。たとえば「支出分析のため、横浜市の近年の乳幼児増加傾向を以下に示す」といったテキストから、「いつ −＞ 近年」「どこで −＞ 横浜市」「何を −＞  乳幼児増加傾向」「どうする −＞ 示す」といった５Ｗ１Ｈ要素が抽出される。【００２５】
さらに、指定区間言語解析手段１３で行う言語解析処理に対し、入力された指定区間テキストに含まれている情報が不十分の場合には、元のドキュメント中の指定区間テキストの前後からテキストをさらに抽出して、入力された指定区間テキストに加え、言語解析処理を行っても良い。また、５Ｗ１Ｈ「いつ」「誰が」などの要素を抽出する際に、指定区間テキストだけでなく元のドキュメントに付与されているプロパティ情報を読み出して、ドキュメントの作成日時や作成者などの情報から、それらの要素を抽出しても良い。【００２６】
指定区間題目生成手段１４ａは、指定区間言語解析手段１３で作成された言語解析情報を受け取り、それを基に、題目情報を生成する。【００２７】
本発明を実施する際に、題目情報を、掲示板情報記憶部２３で管理されている複数の掲示板から１つを特定する掲示板ＩＤとしてのみ用いる場合は、言語解析情報をそのまま題目情報として生成する。ただし、題目情報を掲示板の名前として活用し、ユーザにも提示する場合には、言語表現形式である言語解析情報のままだと可読性が低いため、言語表現を再び自然言語で書かれたテキスト表現に変換し、変換結果を題目情報として生成しても良い。言語表現から自然言語形式への変換には、機械翻訳などで用いられているテキスト合成の技術を使用する。例えば、単語の２項間関係で書かれた「ゲーム機Ｐ −＞ 販売、ゲーム機Ｗ −＞ リコール」は、「ゲーム機Ｐの販売と、ゲーム機Ｗのリコール」のようにテキスト合成できる。テキスト合成の結果、題目情報の掲示板ＩＤとしての一意性が失われるおそれがある場合には、テキスト合成前の言語表現を掲示板を規定するＩＤとして利用し、テキスト合成結果はユーザに提示する掲示板のタイトルとするように、セットで用いても良い。【００２８】
また、題目情報自体は掲示板を一意に指定するＩＤとするが、１つの言語解析情報から、複数の題目情報を生成しても良い。その場合、ユーザが指定した指定区間テキストには複数の異なる掲示板が対応するため、後述する指定区間用掲示板アドレス出力手段も、複数の掲示板へのアドレスを返すこととなる。ユーザがコメントを登録・閲覧する場合には、コメントを登録・閲覧する掲示板を別途選択するか、全ての掲示板に対してコメントを登録・閲覧することになる。例えば、「ゲーム機Ｐ −＞ 販売、ゲーム機Ｗ −＞ リコール」のような複数の並列した言語表現を受け取った場合には、「ゲーム機Ｐ −＞ 販売  ＆ ゲーム機Ｗ  −＞ リコール」のようにアンド条件で題目情報を規定するか、「ゲーム機Ｐ −＞ 販売」と「ゲーム機Ｗ  −＞ リコール」の２つの題目情報に分割しても良い。どのように題目情報を分割・生成するかは、本発明を実施する際の用途・目的に応じて予め定めておく。【００２９】
掲示板管理手段１５ａは、指定区間題目生成手段１４ａで生成された各題目情報に対して、掲示板情報記憶部２３に一致する既存の題目情報が存在するかを判定する。【００３０】
題目情報が一致する既存の掲示板が存在する場合には、その題目情報が示す掲示板へのアドレスを、その題目情報がどの指定区間テキストから得られたかの情報と組にして、対応掲示板情報として出力する。【００３１】
題目情報が一致する既存の掲示板が存在しない場合には、まず掲示板情報記憶部２３に新規にその題目情報の掲示板を作成し、ついで作成した新規の掲示板へのアドレスをどの指定区間テキストから得られたかの情報と組にして、対応掲示板情報として出力する。ここで、掲示板へのアドレスとは、ｈｔｔｐアドレスなど、掲示板へアクセスするためのインターフェースサービスを提供するアドレスである。【００３２】
なお、必ずしも新規にその題目情報の掲示板を作成する必要はない。「掲示板が存在しない」という情報を対応掲示板情報として出力してもよい。【００３３】
掲示板管理手段１５ａは、ユーザが閲覧しているドキュメントの内容を掲示板に表示できるように動作させてもよい。具体的には、ユーザ指定区間入力手段１２で入力された指定区間付近のテキスト情報や、ｈｔｔｐなどドキュメントブラウザ手段１１でユーザが閲覧しているドキュメントのアドレス情報などを、対応する題目情報の掲示板に対するコメントを格納しているコメント情報記憶部８２０に追加する形態などが挙げられる。もちろんこの形態に限ったものではない。これにより、ユーザは、掲示板を閲覧するだけで、同じ題目について記載されている他のドキュメントの記載内容も知ることができる。【００３４】
対応掲示板情報出力部１６は、掲示板管理部１５ａから、指定区間テキストと対応する掲示板へのアドレスを組にしてまとめ、対応掲示板情報としてドキュメントブラウザ手段１１に返す。返し方としては、アドレスの情報を直接渡しても良いし、ドキュメントのファイルにアドレスの情報を埋め込んでも良い。【００３５】
ドキュメントブラウザ手段１１は、対応掲示板情報出力部１６が出力した対応掲示板情報を参照し、指定区間テキストと対応する掲示板のアドレスを表示する。掲示板情報は、アドレスの情報を直接渡す形式でも良いし、ドキュメントのファイルにアドレスの情報を埋め込んだ形式でも良い。また、ドキュメントブラウザの表示方法は、指定区間テキスト部に掲示板に対するリンクをはってもよいし、掲示板のアドレスをテキスト情報として表示してもよい。さらに、掲示板が存在しない場合は、その旨を表示するか、指定区間テキストに対して何も出力しないことによって、対応する掲示板が存在しないことを示す。【００３６】
ドキュメント情報記憶部２１は、ユーザが閲覧しているドキュメントの情報を記憶する記憶部である。ドキュメントブラウザ手段１１とインターネットで接続されており、ユーザはドキュメントブラウザ手段１１を通じて、ドキュメント情報記憶部２１に記憶された情報を閲覧することができる。【００３７】
言語解析用辞書記憶部２２は、指定区間言語解析手段１３が言語解析を行う際に参照するための辞書データを記憶するもので、単語辞書記憶部２２１や同義表現辞書記憶部２２２を備えている。【００３８】
単語辞書記憶部２２１は、指定区間言語解析手段１３において、指定区間テキストを言語解析する際に用いられる単語の辞書である。各単語の辞書には、単語の表記や、単語の区切り、品詞や活用などの文法情報、単語間の接続の仕方を示す文法情報や統計情報、各単語が本発明を実施する際の用途や目的にとって重要かどうかを示すストップワードの情報、各単語の意味的なクラスを示す情報など、一般的な自然言語処理技術で用いられる辞書情報のうち、指定区間言語解析手段１３での言語解析処理に必要な情報が格納される。【００３９】
同義表現辞書記憶部２２２は、指定区間言語解析手段１３での言語解析処理で、同一視する単語、または複数単語の組み合わせの集合を記述した辞書である。言語解析処理の際に、「インターネット」と「Ｉｎｔｅｒｎｅｔ」といった意味的には同じ単語の表記の揺れや、「登校」と「学校に行く」といった類似の表現を統一的に取り扱うために用いる。こうした同義表現辞書記憶部２２２自体は、単語辞書記憶部２２１と同じく、既存の自然言語処理技術の１つであり、本明細書では詳しくは取り扱わない。この同義表現辞書記憶部２２２にどのような単語の集合、または単語の組合せの集合を登録しておくかは、本発明を実施する際の用途や目的に応じて異なる。指定区間題目生成手段１４ａで、掲示板を規定する題目情報を生成する際に、同一視したい単語や単語の組合せの集合を登録する。【００４０】
掲示板情報記憶部２３は、掲示板の情報を格納するデータベースである。掲示板情報記憶部２３には、掲示板のタイトルごとの情報を格納するアドレス情報記憶部２３１と、各掲示板毎に登録されているコメント情報記憶部８２０から構成される。掲示板の機能としては、ＷＷＷ上などで広く使用されている一般的な掲示板と同様である。コメント情報記憶部は、コメント自体の他に、コメント登録の基となったドキュメントの情報と、指定区間テキストの情報を保持する。また他に、コメントが登録された日時や、コメント登録者の情報などを保持しても良い。コメント登録の基となったドキュメントの情報としては、ｈｔｔｐアドレスなどドキュメントの保管場所やアクセス方法を示す情報の形式で保持しても良いし、基のドキュメントが変更・削除された場合に備えて、ドキュメント自体のコピーを保持しても良い。【００４１】
以上が、本発明の第１の実施の形態の構成である。【００４２】
また、本実施の形態では、図１の処理装置１０で挙げられている各コンポーネントは、それぞれの機能を制御するプログラムとして、ＣＤ−ＲＯＭなどの機械読み取り可能な記録媒体や、インターネットなどのネットワークを通して提供され、計算機(コンピュータ)等に読み込まれて実行されるものとしても良い。【００４３】
次に、本実施の形態の動作について、図３のフローチャートに沿って説明する。【００４４】
図３は、本発明の第１の実施の形態の情報共有装置におけるユーザ指定区間用掲示板アドレス出力動作を示すフローチャートである。【００４５】
図３によると、まずドキュメント手段１１で表示されているドキュメント内からユーザに指定された指定区間テキストをユーザ指定区間入力手段１２にて受け付ける(ステップＡ１)。【００４６】
ついで、言語解析用辞書記憶部２２を参照して、指定区間言語解析手段１３にて、受け付けた指定区間テキストの言語解析を行い、指定された指定区間テキストに応じた言語表現である言語解析情報を出力する(ステップＡ２)。【００４７】
次に、前記言語解析情報から、指定区間題目生成手段１４ａにて、指定区間テキストに対応した題目である題目情報を生成する(ステップＡ３)。【００４８】
題目情報が生成されると、掲示板管理手段１５ａにて、その題目情報に対応する掲示板が掲示板情報記憶部２３に存在するかどうか確認し、存在する場合はステップＡ５１に、存在しない場合はステップＡ５２に移る(ステップＡ４)。【００４９】
生成された題目情報に応じた既存の掲示板が存在する場合は、該既存の掲示板の題目情報とアドレス情報を組にして対応掲示板情報として出力する（ステップＡ５１）。【００５０】
生成された題目情報に応じた既存の掲示板が存在しない場合は、新たな題目情報の掲示板を掲示板情報記憶部２３に作成し、該掲示板の題目情報とアドレス情報を組として対応掲示板情報として出力する。または、掲示板を作成せず、掲示板が存在しないという情報を対応掲示板情報として出力する(ステップＡ５２)。【００５１】
ここで、ステップＡ３で生成された題目情報が複数ある場合には、ステップＡ４〜ステップＡ５１またはＡ５２までの手順を、各題目情報に対して実行する。【００５２】
さらに、対応掲示板情報出力手段１６が、ドキュメントブラウザ手段１１に対応掲示板情報を出力する。（ステップＡ６）
最後に、掲示板のアドレスを本発明を実施する際の用途や目的に応じた出力形式で、元のドキュメントブラウザ手段を通して出力する(ステップＡ７)。【００５３】
本実施の形態における効果は、同じ題目の情報をより効率的に共有できる点である。ブログなど掲示板以外のページを閲覧しているユーザが、閲覧している内容に関連する掲示板が存在することを知ることができるため、掲示板に対して新しい情報を追加するように誘導することができる。また、情報を追加しないユーザにとっても、掲示板を参照することでより多くの情報を得ることができる。【００５４】
また、言語解析を行うことで多少表現が異なっても同じ題目情報として認識してスレッドと関連づけることができるため、題目とスレッドとを一意に定めることができ、さらに効率的に同じ題目に対する情報を共有できる。【００５５】
例えば「はてなキーワード」または「はてなダイアリーキーワード」と呼ばれるサービス（従来技術３。非特許文献１）は、「はてなダイアリー」と呼ばれるブログ中のテキストに「はてなキーワード」に一致する文字列が含まれていた場合、自動的にブログ中のその文字列の部分に下線が引かれ、「はてなキーワード」システムにおけるその語の定義が記述されたページへのリンクが埋め込まれる。しかし、従来技術３では、類似した題目を取り扱っているブログ同士でも、既にキーワード登録された文字列を共通に含んでいない場合は、一方のブログの閲覧者は他方に気づくことはできない。【００５６】
【非特許文献１】”はてなキーワード”[online]、[平成１９年７月２０日検索]、インターネット＜URL http://d.hatena.ne.jp/keyword/＞
【００５７】
一方、本実施の形態では、完全に同一な文字列を含まない場合でも、同じ題目として認識することが可能であるため、より効率的に同じ題目に対する情報を共有できる。【００５８】
（第２の実施の形態）
本発明の第２の実施の形態の構成について、図４を参照して説明する。【００５９】
本発明の第２の実施の形態にかかる情報共有装置は、第１の実施の形態に加えて、題目生成ポリシー記憶部２４を有する。それに伴い、指定区間題目生成手段１４ｂが、第１の実施の形態における指定区間題目生成手段１４ａと異なる点がある。その他の構成については、第１の実施の形態と同様な構成であるため、説明を省略する。【００６０】
指定区間題目生成手段１４ｂは、指定区間テキストの言語解析処理結果である言語表現を受け取り、題目生成ポリシー記憶部２４で格納されている題目生成用の規則に従って題目情報を生成する。受け取った言語表現に対して、題目生成ポリシー記憶部２４に格納されている各規則(ポリシー)が適用できるかどうかを確認し、適用できる場合には、その規則に従って、言語表現を書き換える。【００６１】
題目生成ポリシー記憶部２４は、指定区間題目生成手段１４ｂで、言語表現から題目情報へ変換する際の規則を格納するデータベースである。具体的には、指定区間言語解析手段１３で指定区間テキストを言語解析した結果得られた言語表現には、題目情報として区別することが望ましくない詳細な情報が含まれている場合があるので、そうした詳細な情報を削除し、題目情報として縮退させるための規則を格納する。どのような言語表現の情報を削除するかは、本発明を実施する際の用途・目的に応じて異なる。【００６２】
規則の種類の例として、係り受け表現が挙げられる。単語間の係り受け表現を言語表現として用いる場合でも、係り受けの方向を区別しない場合には、係り受けの方向性を示す情報を言語表現から削除する規則を格納する。【００６３】
また、時制やモダリティや時制表現の区分に関する規則も挙げられる。「した」「する」などの時制情報を区分するかを設定することができる。【００６４】
他にも、５Ｗ１Ｈなどの情報に対する情報のレベルや情報の削除などが挙げられる。指定区間テキストから５Ｗ１Ｈ情報として位置情報や時間情報を抽出し、言語表現とした場合でも、時間により掲示板を分ける必要がない場合や、場所毎に掲示板を分ける必要がない場合には、そうした分ける必要がない情報の要素を削除する規則を格納する。【００６５】
さらに、題目情報の表示方法なども挙げられる。ユーザが読みやすい自然言語による表記でもよいし、単語の係り受け構造や構文解析木の部分木などの言語表現としてもよい。生成する題目情報はあくまで掲示板を一意に特定できればよい。なお、単語の係り受け構造や、構文解析木の部分木などの言語表現は、自然言語による表記と異なり、通常人間にとって読みやすいものではない。しかし、生成する題目情報はあくまで掲示板を一意に特定できればよいので、こうした言語表現をそのまま題目情報として用いても問題ない。【００６６】
もちろん、規則の種類は上記の例に限ったものではなく、適宜設定可能である。【００６７】
ここで、指定区間テキストから、指定区間言語解析手段１３と指定区間題目生成手段１４ｂを通して、題目情報を生成する処理は、元の指定区間テキストに対する一種の要約を実行しているということができる。表記上は異なる指定区間テキストであっても、生成される題目情報が同一の場合は、掲示板情報記憶部２３で格納されている掲示板で共通の掲示板が、それらの異なる指定区間テキストに対応する。ただし、通常のテキスト要約技術と異なり、題目情報は必ずしもユーザに対して、可読性の高いものでなくてよい。また、本発明を用いて、コメント情報を共有する際に重要視するポイントでなければ、元の指定区間テキストに含まれていても、題目情報を生成する際には落として良い点も、テキスト要約技術との違いである。【００６８】
次に、本実施の形態の動作について、図５のフローチャートに沿って説明する。【００６９】
図５は、第１の実施の形態にかかる図３と比較して、ステップＡ３がステップＢ３である点が異なる。その他の動作については、図３と同様であるため、説明を省略する。【００７０】
ステップＢ３では、指定区間テキストの言語表現から、題目生成ポリシー記憶部２４に格納された規則を用いて、指定区間題目生成手段１４ｂにて、指定区間テキストに対応した題目情報を生成する。【００７１】
本実施の形態における効果は、情報共有の用途や目的に応じて、題目情報の詳細度や区分、表示方法を設定できる点である。それにより、より掲示板サービス提供者の目的に沿った情報共有を行うことが可能となる。【００７２】
また、掲示板を利用するユーザにとっても、興味を持っている内容に関連する題目の掲示板を探しやすいという効果がある。その理由は、題目情報を生成する際に、詳細度のレベルを統一するからである。例えば、「６月１１日の陸上大会」「６月第２週の陸上大会」というテキストが同じ題目情報を生成するため、表現が異なった記事を閲覧したユーザーでも同じ掲示板に誘導することができる。【００７３】
（第３の実施の形態）
本発明の第３の実施の形態の構成について、図６を参照して説明する。【００７４】
図６を参照すると、本発明の第３の実施の形態は、第１の実施の形態の構成と比較して、ユーザ指定区間入力手段１２の代わりにドキュメント区間分割手段１７を有する点で、構成上異なる。ここでは、ドキュメント区間分割手段１７と、動作が異なる点がある掲示板管理手段１５ｂのみ説明する。【００７５】
ドキュメント区間分割手段１１０は、ドキュメントブラウザ手段１１からドキュメントを受け取り、そこに含まれるテキストを複数のテキスト区間にまず分割する。分割は、文や章節などの文書構造に基づいて行っても良いし、本発明を実施する際の用途・目的に応じて予め規定した単語や表現で区切っても良い。さらに、各分割されたテキスト区間は、他のテキスト区間と完全には一致しない範囲で重なりを持っても良い。ついで、分割した各テキスト区間に対して、指定区間言語解析手段１３に送り、以後はユーザ指定区間入力手段１２でユーザが明示的に指定した指定区間テキストと同様に言語解析処理を行い、結果として各指定区間テキストに対応する掲示板アドレスが掲示板管理手段１５ｂから出力される。【００７６】
掲示板管理手段１５ｂの機能は、未処理の分割されたテキストがあるかを確認して、各々のテキストに対して順次処理を行うよう動作する以外は、本発明の第１の実施の形態における掲示板管理手段１５ａの機能と同様である。【００７７】
ただし、本実施の形態の場合は、各題目情報に対する掲示板が存在しない場合は、新規に対応する掲示板を作成するのではなく、対応する掲示板がないという情報を対応掲示板情報とすることが望ましい。何故なら、全てのドキュメント内容に対して、同じ題目情報の掲示板がない場合は新規の掲示板を作成するように動作してしまうと、有用でない掲示板を多量に作成してしまうためである。【００７８】
以上が、本発明の第３の実施の形態の構成である。【００７９】
次に、本発明の第３の実施の形態における動作を、図７のフローチャートに沿って説明する。【００８０】
図７によると、まずドキュメントブラウザ手段１１から、処理対象とするドキュメントをドキュメント区間分割手段１７が読み込み、複数のテキスト区間に分割する(ステップＣ１)。次に、分割されたテキスト区間の１つを指定区間テキストとして出力する（ステップＣ２）。【００８１】
ステップＡ２〜ステップＡ５１またはＡ５２は、実施の形態１の動作と同じであるため、説明を省略する。【００８２】
ステップＡ５１またはＡ５２の後、ステップＣ１で分割されたテキスト区間で、未処理のものが残っているかどうか確認し、未処理のものが残っている場合には、その未処理のテキスト区間を言語解析するために、ステップＣ２に戻る（ステップＣ３）。全てのテキスト区間に対する処理が終了している場合は、ステップＣ４に進む。【００８３】
最後に、ステップＣ４で出力された対応掲示板情報を、全て本発明を実施する際の用途や目的に応じた出力形式で、元のドキュメントブラウザ手段を通して出力する(ステップＣ５)。【００８４】
以上で、本発明の第３の実施の形態における動作の終了となる。【００８５】
本実施の形態における効果は、ドキュメントに含まれるテキストを分割して各テキストに応じた掲示板が存在するかを判定するため、ユーザが特定の区間を指定することなく、掲示板の存在を知ることができる点である。【００８６】
なお、本実施の形態を、第２の実施の形態と組合せてもよい。その場合は、図６において、指定区間題目生成手段１４ａが指定区間題目生成手段１４ｂとなり、さらに、題目生成ポリシー記憶部２４を有する構成となる。各構成の動作は、第２の実施の形態で説明した通りである。
【実施例】
【００８７】
（第１の実施例）
第１の実施の形態における実施例を、図８を用いて説明する。【００８８】
ユーザがドキュメントブラウザ手段１１により、図８のブログ１を閲覧する。その中の「ゲーム機ＰによりＳＡＣＤを聞く」という記載に興味を持った場合に、マウスを利用して前記記載の指定区間テキストを指定する。【００８９】
次に、指定区間言語解析手段１３において、指定された区間に対して言語解析を行う。本実施例では、係り受け解析技術を用いる。その結果として、「ゲーム機Ｐ −＞ 聞く、ＳＡＣＤ −＞ 聞く」という言語解析結果が出力される。【００９０】
さらに、指定区間題目生成手段１４では、機械翻訳などで用いられているテキスト合成の技術を使用して、指定区間言語解析手段１３の出力結果から題目情報を生成する。本実施例では、「ゲーム機ＰでＳＡＣＤを聞く」という題目情報を生成する。【００９１】
掲示板管理手段１５ａでは、生成された題目情報「ゲーム機ＰでＳＡＣＤを聞く」に一致する既存の題目情報が存在するかを判定する。題目情報が一致する既存の題目情報が存在する場合には、その題目情報が示す掲示板へのアドレスを、どの指定区間テキストから得られたかの情報と組にして、対応掲示板情報として出力する。掲示板情報記憶部２３に題目情報が一致する既存の掲示板が存在しない場合には、まず掲示板情報記憶部２３に新規にその題目情報の掲示板を作成し、ついで作成した新規の掲示板へのアドレスをどの指定区間テキストから得られたかの情報と組にして対応掲示板情報として出力する。対応掲示板情報は、対応掲示板情報出力手段１６を通じて、ドキュメントブラウザ手段１１に表示される。【００９２】
ユーザは、図８に示すように「ゲーム機ＰによりＳＡＣＤを聞く」というテキスト部分にリンクがはられることで、「ゲーム機ＰでＳＡＣＤを聞く」という題目情報の掲示板の存在とその掲示板のアドレスを知ることができる。その情報に基づいて掲示板を閲覧することで、興味のある題目について、より多くの情報を得ることができる。また、最初に閲覧したページでなく、共通の掲示板にコメントを追加することで、より効率的な情報共有が可能となる。【００９３】
（第２の実施例）
第２の実施の形態における実施例を説明する。【００９４】
題目生成ポリシー記憶部２４には、生成する題目情報の、詳細度や区分、表示方法を設定するために必要な規則を格納している。例として、５つの規則について説明する。【００９５】
第一の規則は、モダリティや時制表現の区分に関する規則である。例えば、テキストに対して構文解析を実行し、得られた構文解析結果を言語表現としている場合、通常、テキスト中のモダリティや時制表現も構文木中に情報として格納されている。その結果、「ゲーム機Ｐを購入したい」「ゲーム機Ｐを購入すると聞いた」「ゲーム機Ｐを購入する」「ゲーム機Ｐを購入した」「ゲーム機Ｐを購入するつもりだ」「ゲーム機Ｐを購入するかもしれない」これらのテキストに対する言語表現が異なってくる。そこで、第一の規則では、モダリティや時制の区分に関する規則を設定する。前記の例を、言語表現中のモダリティや時制情報を削除して、全て「ゲーム機Ｐを購入」という同一の題目情報に分類することもできる。逆に「ゲーム機Ｐを購入したい」のような意志を表す表現と「ゲーム機Ｐを購入した」のような既に購入した結果を表す表現とで、コメントを登録する掲示板を分けたい用途では、これらの情報を言語表現から削除しないようにし、題目情報としても異なるものが生成されるようにすることもできる。【００９６】
第二の規則は、データのレベルの中で時間に関する規則である。例えば、時間情報を1週間毎に変換するように設定した場合、０７年１月１２日 −＞ ０７年第２週、０７年１月１６日 −＞ ０７年第３週、０７年１月１９日 −＞ ０７年第３週のように変換される。つまり、時間情報として０７年１月１２日を含むテキストに対するコメントと、時間情報として０７年１月１６日を含むテキストに対するコメントは別の掲示板に格納される(別の掲示板を示す題目情報が生成される)が、０７年１月１６日とを含む指定区間テキストに対するコメントと、０７年１月１９日とを含むテキストに対するコメントは、(他の言語表現が異ならない範囲で)同じ掲示板に格納される。【００９７】
第三の規則は、データのレベルの中で場所に関する規則である。例えば、元のテキストが「横浜市港南区で火災発生」と「横浜市緑区で火災」であったとする。ここで、指定区間言語解析手段１３により得られた場所情報はそれぞれ「横浜市港南区」「横浜市緑区」となるが、区のレベルで区別する必要のない目的の場合、区のレベルの情報を場所情報から削除し題目情報とする規則を、題目生成ポリシー記憶部２４に格納しておく。その結果、どちらも「横浜市」という場所情報になり、同じ掲示板を指し示すことになる。【００９８】
第四の規則は、情報の削除に関する規則である。例えば、時間情報を削除するよう設定した場合、「５月最新ニュース！！  ソフトＸＸにメール受信時のバッファーアンダーランを利用したセキュリティーホールが発見」という指定区間テキストに対しては、「ソフトＸＸ −＞ セキュリティーホール」のように時間情報を落とした題目情報を生成する。これは、通常掲示板ではコメント登録時の時間情報や、コメントを付与する元のドキュメントの更新日時を自動的に取得できる場合が多いため、時間毎にコメントを別の掲示板に分ける必要性が少ない時などに有用である。掲示板のユーザは必要ならば、コメントを見る際に、コメントの登録時期や元のドキュメントの更新時期を機械的に絞り込んでソート表示できるためである。【００９９】
第五の規則は、題目情報の表現方法に関する規則である。例えば、表現方法を自然言語による表記と設定した場合、「ゲーム機Ｐ −＞ 使用する ＜− ＤＶＤプレーヤーとして」という解析結果は「ゲーム機ＰをＤＶＤプレーヤーとして使用する件」として題目情報が生成される。【０１００】
（第３の実施例）
第３の実施の形態における実施例を、図９を用いて説明する。【０１０１】
ブログ「ゲームの広場」には、「早速、ゲーム機ＰでＳＡＣＤかけてみたの。だけど、いまいちＣＤとの差が分からなくて。…。そういえば、次世代ビデオも再生できるらしいね。そのためには、Ｐ本体にＡＡアプリをインストールしないと…」というテキストが含まれている。【０１０２】
ドキュメント区間分割手段１７が前記テキストを読み込み、複数の指定区間テキストに分割する。本実施例では、前記のテキストを、文章ごとに「早速、ゲーム機ＰでＳＡＣＤかけてみたの」「そういえば、ゲーム機Ｐは次世代ビデオも再生できるらしいね。」「そのためには、Ｐ本体にＡＡアプリを入れないと…。」と３つのテキストに分割する。【０１０３】
次に、各々の分割したテキストに対して、順次、指定区間言語解析手段１３において言語解析を行い、指定区間題目生成手段１４ａにおいて題目情報を生成し、掲示板管理手段１５ｂにおいて既存の掲示板が存在するかを判定していく。【０１０４】
前記テキストの例では、初めに「早速、ゲーム機ＰでＳＡＣＤかけてみたの」というテキストから、指定区間題目生成手段１４ａにおいて「ゲーム機ＰでＳＡＣＤを聞く」という題目情報を生成する。さらに、掲示板管理手段１５ｂにおいて同じ題目情報の掲示板が存在かを判定する。掲示板が存在したため、題目情報と掲示板のアドレスを出力する。また、図９に示したように、共有掲示板に「リンク：ゲームの広場」と、テキストが含まれたドキュメントへのリンクを表示してもよい。【０１０５】
まだ未処理の分割したテキストが存在するため、次の「そういえば、ゲーム機Ｐは次世代ビデオも再生できるらしいね。」というテキストに対しても同様な処理を行う。このテキストから生成された題目情報「ゲーム機Ｐで次世代ビデオを生成」は、同じ題目情報の掲示板が存在したため、同様に題目情報と掲示板のアドレスを出力する。【０１０６】
次に、「そのためには、Ｐ本体にＡＡアプリを入れないと…。」というテキストに対しても同様に処理を行う。このテキストから生成された題目情報「ゲーム機ＰにＡＡアプリをインストール」には、同じ題目情報の掲示板が存在しない。よって、掲示板を生成せずに処理を終了する。【０１０７】
掲示板管理手段１５ｂは、「ゲーム機ＰでＳＡＣＤを聞く」「ゲーム機Ｐで次世代ビデオを生成」という題目情報について、指定区間テキストと対応する掲示板へのアドレスを組にしてまとめて対応掲示板情報として出力する。前記対応掲示板情報は、対応掲示板情報出力手段１６を通じてドキュメントブラウザ手段１１に出力される。【０１０８】
ドキュメントブラウザ手段１１は、対応するテキスト部に対して、掲示板へのリンクをはって表示する。【０１０９】
この実施例によれば、ユーザがブログ１を閲覧した際に、ユーザが特別に区間を指定しなくても、ドキュメントの内容に関連した掲示板の存在を知ることができる。
【産業上の利用可能性】
【０１１０】
本発明によれば、Ｗｅｂ文書やオフィス文書などに意見や修正、追加情報などのコメントを付与や共有する用途に適用可能である。特に、オフィスなどでは、同様の内容を取り扱う文書が、部門毎や、バージョン違いなどで多数存在する場合が多い。そのような場合に、閲覧者は複数の文書を調べなくとも、１つの文書を調べるだけで、類似のテキストを含む文書に付与されたコメントをすべて見ることができる。【０１１１】
また、コメントを通して、議論を展開する場を提供する用途にも適用可能である。議論が適切に展開されるためには、ある一定数以上のユーザが議論に参加していることが必要となるが、個別のドキュメント毎にコメントを付与する従来技術１や従来技術２のような場合では、ドキュメント毎に閲覧するユーザが分断されるため、それらのシナジー効果を得ることが難しい。しかし、本発明を用いると、複数のドキュメントで共通または類似の(同じ題目が生成される)テキスト内容が含まれている箇所を通して、コメントが共有化されるため、別のドキュメントを閲覧するユーザ同士を結びつける場として有用である。【０１１２】
またさらに、既存のドキュメント同士や、本発明とは直接関係のない既存の掲示板同士を結びつける用途に適用可能である。同じ題目を生成する既存のドキュメント同士、掲示板同士には、本発明を用いることで、本発明による新たな共通の掲示板へのアドレスが提供される。よって、既存のドキュメントや掲示板のユーザは、同じテキストを含む他のドキュメントや掲示板の存在を知ることができ、本発明による掲示板へのアドレスが返されたテキスト区間毎に、必要に応じてそれらの統廃合や更新などの作業が可能となる。【０１１３】
この出願は、２００７年８月２１日に出願された日本出願特願２００７−２１４４８９を基礎とする優先権を主張し、その開示の全てをここに取り込む。
【図面の簡単な説明】
【０１１４】
【図１】本発明の第１の実施の形態の構成を示すブロック図である。
【図２】本発明の指定区間言語解析手段１３で用いられる言語解析手段と、対応する言語表現形式の例を示す図である。
【図３】本発明の第１の実施の形態の動作を示すフローチャートである。
【図４】本発明の第２の実施の形態の構成を示すブロック図である。
【図５】本発明の第２の実施の形態の動作を示すフローチャートである。
【図６】本発明の第３の実施の形態の構成を示すブロック図である。
【図７】本発明の第３の実施の形態の動作を示すフローチャートである。
【図８】本発明の第１の実施例の模式図である。
【図９】本発明の第３の実施例の模式図である。
【符号の説明】
【０１１５】
１０    処理装置
１１    ドキュメントブラウザ手段
１２    ユーザ指定区間入力手段
１３    指定区間言語解析手段
１４ａ、１４ｂ    指定区間題目生成手段
１５ａ、１５ｂ    掲示板管理手段
１６    対応掲示板情報出力手段
１７    ドキュメント区間分割手段
２０    記憶装置
２１    ドキュメント情報記憶部
２２    言語解析用辞書記憶部
２２１    単語辞書記憶部
２２２    同義表現辞書記憶部
２３    掲示板情報記憶部
２３１    アドレス情報記憶部
２３２    コメント情報記憶部
２４    題目生成ポリシー記憶部
【図１】
2009025193.tif 000003
【図２】
2009025193.tif 000004
【図３】
2009025193.tif 000005
【図４】
2009025193.tif 000006
【図５】
2009025193.tif 000007
【図６】
2009025193.tif 000008
【図７】
2009025193.tif 000009
【図８】
2009025193.tif 000010
【図９】
2009025193.tif 000011
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
指定区間テキストに対して言語解析を行い言語解析情報を出力する指定区間言語解析手段と、
前記言語解析情報に基づき、前記指定区間テキストから、前記指定区間テキストに対するコメントを記録するための掲示板を指し示す題目情報を、後記、題目生成ポリシー記憶部を参照して生成する指定区間題目生成手段と、
前記指定区間題目生成手段が、前記指定区間テキストの言語解析情報から、前記題目情報を生成する際に、題目情報として区別しない情報を削除・縮退させるための規則を格納する題目生成ポリシー記憶部と、
前記指定区間題目生成手段がこれまで生成した題目情報をＩＤとして、各題目情報に対応する掲示板のアドレス情報を各題目情報と組で格納する掲示板情報記憶部と、
前記掲示板情報記憶部を参照し、前記題目情報が指し示す掲示板のアドレス情報が存在する場合は、該アドレス情報、ないしは該題目情報と該アドレス情報との組を対応掲示板情報として出力する掲示板管理手段と
を備えたことを特徴とする情報共有システム。
【請求項２】
前記掲示板管理手段が、前記題目情報が指し示す掲示板のアドレス情報が存在しない場合は、新規に前記題目情報をＩＤとする掲示板を作成し、作成した掲示板のアドレス情報、ないしは該題目情報と作成した掲示板のアドレス情報との組を、前記掲示板情報記憶部に格納した上で出力すること、
を特徴とする請求項１記載の情報共有システム。
【請求項３】
ユーザ指定区間入力手段を備え、
前記ユーザ指定区間入力手段は、ユーザが指定した区間情報に対応したテキストを、前記指定区間言語解析手段に対して前記指定区間テキストとして出力すること
を特徴とする請求項１または２記載の情報共有システム。
【請求項４】
ドキュメント区間分割手段を備え、
前記ドキュメント区間分割手段は、入力されたテキストを分割して分割テキストを生成し、
前記分割テキストの少なくとも一つ以上を前記指定区間言語解析手段に対して前記指定区間テキストとして出力すること
を特徴とする請求項１または２記載の情報共有システム。
【請求項５】
前記対応掲示板情報を指定区間テキストに対応して表示するドキュメントブラウザ手段を備えることを特徴とする請求項１乃至４に記載の情報共有システム。
【請求項６】
指定区間テキストに対して言語解析を行い言語解析情報を出力する指定区間言語解析ステップと、
前記言語解析情報に基づき、前記指定区間テキストから、前記指定区間テキストに対するコメントを記録するための掲示板を指し示す題目情報を、題目情報として区別しない情報を削除・縮退させるための規則である題目生成ポリシーを参照して生成する指定区間題目生成ステップと、
前記指定区間題目生成ステップでこれまで生成した題目情報をＩＤとして、各題目情報に対応する掲示板のアドレス情報を各題目情報と組で掲示板情報記憶部に格納する格納ステップと、
前記掲示板情報記憶部を参照し、前記題目情報が指し示す掲示板のアドレス情報が存在する場合は、該アドレス情報、ないしは該題目情報と該アドレス情報との組を対応掲示板情報として出力する掲示板管理ステップと、
を含むことを特徴とする情報共有方法。
【請求項７】
前記掲示板管理ステップで、前記題目情報が指し示す掲示板のアドレス情報が存在しない場合は、新規に前記題目情報をＩＤとする掲示板を作成し、作成した掲示板のアドレス情報、ないしは該題目情報と作成した掲示板のアドレス情報との組を、前記掲示板情報記憶部に格納した上で出力すること、
を特徴とする請求項６記載の情報共有方法。
【請求項８】
ユーザ指定区間入力ステップを有し、
前記ユーザ指定区間入力ステップでは、ユーザが指定した区間情報に対応したテキストを、前記指定区間言語解析ステップに対して前記指定区間テキストとし
て出力することを特徴とする請求項６または７記載の情報共有方法。
【請求項９】
ドキュメント区間分割ステップを有し、
前記ドキュメント区間分割ステップでは、入力されたテキストを分割して分割テキストを生成し、
前記分割テキストの少なくとも一つ以上を前記指定区間言語解析ステップに対して前記指定区間テキストとして出力することを特徴とする請求項６または７記載の情報共有方法。
【請求項１０】
前記対応掲示板情報を指定区間テキストに対応して表示するドキュメントブラウジングステップを含むことを特徴とする請求項６乃至９に記載の情報共有方法。
【請求項１１】
指定区間テキストに対して言語解析を行い言語解析情報を出力する指定区間言語解析ステップと、
前記言語解析情報に基づき、前記指定区間テキストから、前記指定区間テキストに対するコメントを記録するための掲示板を指し示す題目情報を、題目情報として区別しない情報を削除・縮退させるための規則である題目生成ポリシーを参照して生成する指定区間題目生成ステップと、
前記指定区間題目生成ステップでこれまで生成した題目情報をＩＤとして、各題目情報に対応する掲示板のアドレス情報を各題目情報と組で掲示板情報記憶部に格納する格納ステップと、
前記掲示板情報記憶部を参照し、前記題目情報が指し示す掲示板のアドレス情報が存在する場合は、該アドレス情報、ないしは該題目情報と該アドレス情報との組を対応掲示板情報として出力する掲示板管理ステップと
をコンピュータに実行させるための情報共有プログラム。
【請求項１２】
前記掲示板管理ステップで、前記題目情報が指し示す掲示板のアドレス情報が存在しない場合は、新規に前記題目情報をＩＤとする掲示板を作成し、作成した掲示板のアドレス情報、ないしは該題目情報と作成した掲示板のアドレス情報との組を、前記掲示板情報記憶部に格納した上で出力すること、を特徴とする請求項１１記載の情報共有プログラム。
【請求項１３】
ユーザ指定区間入力ステップを有し、
前記ユーザ指定区間入力ステップでは、ユーザが指定した区間情報に対応したテキストを、前記指定区間言語解析ステップに対して前記指定区間テキストとして出力することを特徴とする請求項１１または１２記載の情報共有プログラム。
【請求項１４】
ドキュメント区間分割ステップを有し、
前記ドキュメント区間分割ステップでは、入力されたテキストを分割して分割テキストを生成し、
前記分割テキストの少なくとも一つ以上を前記指定区間言語解析ステップに対して前記指定区間テキストとして出力することを特徴とする請求項１１または１２記載の情報共有プログラム。
【請求項１５】
前記対応掲示板情報を指定区間テキストに対応して表示するドキュメントブラウジングステップを含むことを特徴とする請求項１１乃至１４に記載の情報共有プログラム。
【請求項１６】
ドキュメント区間分割ステップを含み、
前記ドキュメント区間分割ステップは、入力されたテキストを分割して分割テキストを生成し、
前記分割テキストの少なくとも一つ以上を前記指定区間テキストとして出力し、前記指定区間言語解析ステップへの入力とすること
を特徴とする請求項１２乃至１４記載の情報共有プログラム。
【手続補正２】
【補正対象書類名】明細書
【補正対象項目名】０００２
【補正方法】変更
【補正の内容】
【０００２】
グは基本的には情報発信者（ブログ作成者）に紐づいて情報発信を行うものである。Ｗｅｂ上などでは多数の情報発信者が独立に様々な題目に関して情報を発信しているため、こうした、同じあるいは類似の題目を取り扱う独立に作成されたページが多く存在している。そのどれか１つを閲覧した閲覧者が、閲覧したブログに有用なコメントを追加しても、他の同様の題目を取り扱うブログの閲覧者は、そのコメントの存在を気づくことはできない。
［０００８］
一方、従来技術２は、情報発信者ではなくスレッドに紐づくものであり、題目に対する情報の追加や議論に適した情報共有ツールである。ある題目に対する情報を追加するときに、皆が特定の掲示板における特定のスレッドに追加すれば、情報が分散することはない。
［０００９］
しかし、任意のタイトルでスレッドを作成できるため、スレッドと題目が一意になるとは限らない。よって、同じような題目に関して複数のスレッドが存在し、どのスレッドを参照すればよいのか曖昧になるという問題が存在する。
［００１０］
また、皆が特定の掲示板に対して情報を追加するとは限らない。例えば、当然その掲示板の存在をしらない人は利用できない。さらに、ブログなどの閲覧者にとっては、ブログの閲覧中に従来技術１を用いて新たな情報をブログのページに追加できてしまうため、別途掲示板の中から自らの興味がある題目に関連するスレッドを検索して情報を追加する、という行動を取ることは考えにくい。
［００１１］
本発明はこのような問題を解消するためになされたものであり、ある題目に対してより効率的に情報共有する、情報共有装置、情報共有システム、情報共有方法、および情報共有用プログラムを提供することを目的とする。
課題を解決するための手段
［００１２］
本発明における情報共有システムは、
指定区間テキストに対して言語解析を行い言語解析情報を出力する指定区間言語解析手段と、
前記言語解析情報に基づき、前記指定区間テキストから、前記指定区間テキストに対するコメントを記録するための掲示板を指し示す題目情報を、後記、題目生成ポリシー記憶部を参照して生成する指定区間題目生成手段と、
【手続補正３】
【補正対象書類名】明細書
【補正対象項目名】０００３
【補正方法】変更
【補正の内容】
【０００３】
前記指定区間題目生成手段が、前記指定区間テキストの言語解析情報から、前記題目情報を生成する際に、題目情報として区別しない情報を削除・縮退させるための規則を格納する題目生成ポリシー記憶部と、
前記指定区間題目生成手段がこれまで生成した題目情報をＩＤとして、各題目情報に対応する掲示板のアドレス情報を各題目情報と組で格納する掲示板情報記憶部と、
前記掲示板情報記憶部を参照し、前記題目情報が指し示す掲示板のアドレス情報が存在する場合は、該アドレス情報、ないしは該題目情報と該アドレス情報との組を対応掲示板情報として出力する掲示板管理手段と
を備えたことを特徴とする。
発明の効果
［００１３］
本発明の効果は、同じ題目の情報をより効率的に共有できる点である。
［００１４］
その理由は、指定区間言語解析手段において、指定されたテキスト区間の言語解析を行い、指定区間生成部において、言語解析結果に応じた題目情報を生成し、掲示板管理手段において、生成された題目情報の掲示板がすでに存在する場合はそのアドレスをユーザに通知するためである。
［００１５］
よって、ブログなど掲示板以外のページを閲覧しているユーザが、閲覧している内容に関連する掲示板が存在することを知ることができるため、掲示板に対して新しい情報を追加するようにユーザを誘導することができる。また、情報を追加しないユーザにとっても、掲示板を参照することでより多くの情報を得ることができる。
［００１６］
また、言語解析を行うことで多少表現が異なっても同じ題目情報として認識してスレッドと関連づけることができるため、題目とスレッドとを一意に定めることができ、さらに効率的に同じ題目に対する情報を共有できる。
発明を実施するための最良の形態
［００１７］
次に、発明を実施するための最良の形態について図面と例を参照して詳細に説明する。
［００１８］
（第１の実施の形態）
図１を参照すると、本発明の第１の実施の形態は、処理装置１０と記憶装置２０から構成される。処理装置１０は、ドキュメントブラウザ手段１１と、閲覧中のドキュメントからコメントを登録したいテキスト区間を指定するユーザ指定区間入力手段１２と、ユーザが指定したテキスト区間の言語解析を行う指定区間言語解析手段１３と、指定したテキスト区間の言語解析結果を受け付けて、その区間の言語解析結果に応じた題目情報を生成する指定区間題目生成手段１４ａと、生成された題目情報の掲示板が掲示板情報記憶部２３中にすでに存在するかを判定し、対応掲示板情報として出力する掲示板管理手段１５ａと、前記対応掲示板情報をドキュメントブラウザ手段１１に表示さ
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
指定区間テキストに対して言語解析を行い言語解析情報を出力する指定区間言語解析手段と、
前記言語解析情報に基づき、前記指定区間テキストから、前記指定区間テキストに対するコメントを記録するための掲示板を指し示す題目情報を、後記、題目生成ポリシー記憶部を参照して生成する指定区間題目生成手段と、
前記指定区間題目生成手段が、前記指定区間テキストの言語解析情報から、前記題目情報を生成する際に、題目情報として区別しない情報を削除・縮退させるための規則を格納する題目生成ポリシー記憶部と、
前記指定区間題目生成手段がこれまで生成した題目情報をＩＤとして、各題目情報に対応する掲示板のアドレス情報を各題目情報と組で格納する掲示板情報記憶部と、
前記掲示板情報記憶部を参照し、前記題目情報が指し示す掲示板のアドレス情報が存在する場合は、該アドレス情報、ないしは該題目情報と該アドレス情報との組を対応掲示板情報として出力する掲示板管理手段と
を備えたことを特徴とする情報共有システム。
【請求項２】
前記掲示板管理手段が、前記題目情報が指し示す掲示板のアドレス情報が存在しない場合は、新規に前記題目情報をＩＤとする掲示板を作成し、作成した掲示板のアドレス情報、ないしは該題目情報と作成した掲示板のアドレス情報との組を、前記掲示板情報記憶部に格納した上で出力すること、を特徴とする請求項１記載の情報共有システム。
【請求項３】
ユーザ指定区間入力手段を備え、
前記ユーザ指定区間入力手段は、ユーザが指定した区間情報に対応したテキストを、前記指定区間言語解析手段に対して前記指定区間テキストとして出力することを特徴とする請求項１または２記載の情報共有システム。
【請求項４】
ドキュメント区間分割手段を備え、
前記ドキュメント区間分割手段は、入力されたテキストを分割して分割テキストを生成し、
前記分割テキストの少なくとも一つ以上を前記指定区間言語解析手段に対して前記指定区間テキストとして出力することを特徴とする請求項１または２記載の情報共有システム。
【請求項５】
前記対応掲示板情報を指定区間テキストに対応して表示するドキュメントブラウザ手段を備えることを特徴とする請求項１乃至４に記載の情報共有システム。
【請求項６】
指定区間テキストに対して言語解析を行い言語解析情報を出力する指定区間言語解析ステップと、
前記言語解析情報に基づき、前記指定区間テキストから、前記指定区間テキストに対するコメントを記録するための掲示板を指し示す題目情報を、前記指定区間題目生成手段が、前記指定区間テキストの言語解析情報から、前記題目情報を生成する際に、題目情報として区別しない情報を削除・縮退させるための規則を格納する題目生成ポリシー記憶部を参照して生成する指定区間題目生成ステップと、
前記指定区間題目生成ステップでこれまで生成した題目情報をＩＤとして、各題目情報に対応する掲示板のアドレス情報を各題目情報と組で掲示板情報記憶部に格納する格納ステップと、
前記掲示板情報記憶部を参照し、前記題目情報が指し示す掲示板のアドレス情報が存在する場合は、該アドレス情報、ないしは該題目情報と該アドレス情報との組を対応掲示板情報として出力する掲示板管理ステップと
を含むことを特徴とする情報共有方法。
【請求項７】
指定区間テキストに対して言語解析を行い言語解析情報を出力する指定区間言語解析ステップと、
前記言語解析情報に基づき、前記指定区間テキストから、前記指定区間テキストに対するコメントを記録するための掲示板を指し示す題目情報を、前記指定区間題目生成手段が、前記指定区間テキストの言語解析情報から、前記題目情報を生成する際に、題目情報として区別しない情報を削除・縮退させるための規則を格納する題目生成ポリシー記憶部を参照して生成する指定区間題目生成ステップと、
前記指定区間題目生成ステップでこれまで生成した題目情報をＩＤとして、各題目情報に対応する掲示板のアドレス情報を各題目情報と組で掲示板情報記憶部に格納する格納ステップと、
前記掲示板情報記憶部を参照し、前記題目情報が指し示す掲示板のアドレス情報が存在する場合は、該アドレス情報、ないしは該題目情報と該アドレス情報との組を対応掲示板情報として出力する掲示板管理ステップと
をコンピュータに実行させるための情報共有プログラム。
【手続補正２】
【補正対象書類名】明細書
【補正対象項目名】００１２
【補正方法】変更
【補正の内容】
【００１２】
本発明における情報共有システムは、
指定区間テキストに対して言語解析を行い言語解析情報を出力する指定区間言語解析手段と、
前記言語解析情報に基づき、前記指定区間テキストから、前記指定区間テキストに対するコメントを記録するための掲示板を指し示す題目情報を、後記、題目生成ポリシー記憶部を参照して生成する指定区間題目生成手段と、
前記指定区間題目生成手段が、前記指定区間テキストの言語解析情報から、前記題目情報を生成する際に、題目情報として区別しない情報を削除・縮退させるための規則を格納する題目生成ポリシー記憶部と、
前記指定区間題目生成手段がこれまで生成した題目情報をＩＤとして、各題目情報に対応する掲示板のアドレス情報を各題目情報と組で格納する掲示板情報記憶部と、
前記掲示板情報記憶部を参照し、前記題目情報が指し示す掲示板のアドレス情報が存在する場合は、該アドレス情報、ないしは該題目情報と該アドレス情報との組を対応掲示板情報として出力する掲示板管理手段と
を備えたことを特徴とする。
【国際調査報告】
2009025193.tif 000012
2009025193.tif 000013
2009025193.tif 000014
2009025193.tif 000015